【手続補正書】
【提出日】平成20年4月7日(2008.4.7)
【手続補正１】
【補正対象書類名】明細書
【補正対象項目名】特許請求の範囲
【補正方法】変更
【補正の内容】
【特許請求の範囲】
【請求項１】
当該タンク内の液体を当該タンクから吐水するように出すことができる吐水口を形成するタンクと、
前記吐水口を介する前記タンクからの流れを可能にする非固定状態にバイアスされ、前記吐水口を介する前記タンクからの流れを妨げる固定状態と前記非固定状態との間で作動可能なフラッシュバルブ部材と、
前記フラッシュバルブ部材の少なくとも一部分が移動可能に配置されているフラッシュバルブチャンバを形成するフラッシュバルブハウジングであって、さらにフラッシュバルブチャンバ圧力開放出口及び、最低保持圧力より高い管路水圧が前記フラッシュバルブチャンバに広がる場合に、その固定状態において前記バルブを保持するように管路水圧を前記フラッシュバルブチャンバ内に入れる管路圧力入口を形成するフラッシュバルブハウジングと、
前記フラッシュバルブチャンバの圧力開放出口を介してフラッシュバルブチャンバの圧力が解放されることを防ぐ閉状態と前記フラッシュバルブチャンバの圧力開放出口を介してフラッシュバルブチャンバの圧力が解放される開状態との間で作動可能な圧力解放機構と
からなるフラッシャ。
【請求項２】
前記圧力解放機構が、遠隔位置と、フラッシュバルブチャンバが配置されている局所位置との間に延伸する圧力解放導管を含み、
前記圧力解放機構が、前記圧力解放導管を介する流れが可能である場合に、前記フラッシュバルブチャンバの圧力開放出口を介してフラッシュバルブチャンバの圧力が解放可能であるように、かつ前記圧力解放導管を介する流れが妨げられている場合に、前記フラッシュバルブチャンバの圧力開放出口を介してフラッシュバルブチャンバの圧力が解放されることを妨げるように作動し、
前記圧力解放機構が、さらに遠隔位置に配置され、前記圧力解放導管に介在し、前記圧力解放導管を介する流れを妨げる閉状態と前記圧力解放導管を介する流れが可能である開状態との間で作動可能な遠隔バルブを含む請求項１記載のフラッシャ。
【請求項３】
Ａ）前記フラッシャが、目標液面まで前記タンクを満たす液面コントローラを含み、
Ｂ）前記フラッシュバルブチャンバが、前記タンクの内側の前記目標液面より下方にある部分に配置され、
Ｃ）前記遠隔バルブが、前記タンクの内側の前記目標液面より下方にある部分の外側に配置されている請求項２記載のフラッシャ。
【請求項４】
Ａ）前記圧力解放機構が、さらに物体センサ出力を発生する物体センサを含み、
Ｂ）前記圧力解放機構が、前記物体センサ出力にしたがって、その開状態と閉状態の間で作動する請求項１記載のフラッシャ。
【請求項５】
前記物体センサが、
Ａ）局所位置と遠隔位置の間に延伸する光ファイバと、
Ｂ）目標領域からの光を前記光ファイバに集光するように前記遠隔位置に配置されているセンサレンズと、
Ｃ）前記局所位置に配置され、前記光ファイバから受容した光にしたがって、物体センサ出力を発生するセンサ回路とを含む請求項４記載のフラッシャ。
【請求項６】
Ａ）前記フラッシャ機構が、さらに目標液面まで前記タンクを満たす液面コントローラを含み、
Ｂ）前記遠隔位置が、前記タンクの内側の前記目標液面より下方にある部分の外側であり、
Ｃ）前記局所位置が、前記タンクの内側の前記目標液面より下方にある部分の内側である請求項５記載のフラッシャ。
【請求項７】
前記圧力解放機構が、ラッチングソレノイドを含み、このラッチングソレノイドがその安定状態の一方にある場合にその閉状態をとり、このラッチングソレノイドがその安定状態のもう一方にある場合にその開状態をとる請求項１記載のフラッシャ。
【請求項８】
前記圧力解放機構がバッテリーにより電力を供給される請求項７記載のフラッシャ。
【請求項９】
前記圧力解放機構がバッテリーにより電力を供給される請求項１記載のフラッシャ。
【請求項１０】
前記タンクが、吐水出口を有する圧力容器を含む請求項１記載のフラッシャ。
【請求項１１】
前記フラッシャが、目標液面まで前記タンクを満たすように構成されている液面コントローラを含み、当該液面コントローラが、何らかのフラッシャ部材に何ら固定して連結されずに構成されて配列されている浮きを含む請求項１記載のフラッシャ。
【請求項１２】
前記フラッシャが浮きケージ内で自由に浮く浮きを含む液面コントローラを含む請求項１記載のフラッシャ。
【請求項１３】
前記フラッシャが、浮きケージ内で浮き、目標液面において開放オリフィスをふさぐように配列されている浮きを含む液面コントローラを含む請求項１記載のフラッシャ。
【請求項１４】
前記フラッシャが、前記フラッシュバルブハウジングとともに一体のハウジング内に配置されている液面コントローラを含む請求項１記載のフラッシャ。
【請求項１５】
前記フラッシュバルブ部材が、前記フラッシュバルブハウジング内で直線的に動くように構成されている請求項１記載のフラッシャ。
【請求項１６】
前記圧力解放機構がソレノイドにより制御されるダイアフラムを含む請求項１記載のフラッシャ。
【請求項１７】
前記ソレノイドが検出された赤外線に応答するセンサにより制御される請求項１６記載のフラッシャ。
【請求項１８】
前記フラッシュバルブ部材が、バイアスばねを利用して前記非固定状態にバイアスされている請求項１記載のフラッシャ。
【請求項１９】
トイレを洗浄する方法であって、
請求項１に記載のフラッシャを設け、
流路圧力を有する水源の導管に水を供給し、
圧力解放機構を始動させることを含む方法。
【請求項２０】
前記始動させることがソレノイドを作動させることを含む請求項１９記載の方法。
【請求項２１】
前記ソレノイドを作動させることが、制御回路によって制御信号をもたらすことを含む請求項２０記載の方法。
【請求項２２】
前記ソレノイドを作動させることが、検出器によって赤外線を検出し、制御回路によって制御信号をもたらすことを含む請求項２０記載の方法。
【請求項２３】
Ａ）当該圧力容器内の液体を当該圧力容器から吐水するように出すことができる吐水口を形成する圧力容器と、
Ｂ）前記吐水口を介する前記圧力容器からの流れを可能にする非固定状態にバイアスされ、前記吐水口を介する前記圧力容器からの流れを妨げる固定状態と前記非固定状態との間で作動可能なフラッシュバルブ部材と、
Ｃ）前記フラッシュバルブ部材の少なくとも一部分が移動可能に配置されているフラッシュバルブチャンバを形成するフラッシュバルブハウジングであって、このフラッシュバルブ封入容器が、最低保持圧力より高い管路水圧が前記フラッシュバルブチャンバに広がる場合に、その固定状態において前記バルブを保持するように前記フラッシュバルブチャンバ内に管路水圧を入れる管路圧力入口を形成するフラッシュバルブハウジングと、
Ｄ）前記フラッシュバルブチャンバ内部から前記バルブ部材を介して前記吐水口に延伸する圧力解放流路と、
Ｅ）前記圧力開放流路を介してフラッシュバルブチャンバの圧力が解放されることを防ぐ閉状態と、前記圧力開放流路を介してフラッシュバルブチャンバの圧力が解放される開状態との間で作動可能な圧力解放機構と
からなるフラッシャ。
【請求項２４】
Ａ）当該タンク内の液体を当該タンクから吐水するように出すことができる吐水口を形成するタンクと、
Ｂ）前記吐水口を介する前記タンクからの流れを可能にする非固定状態と、前記吐水口を介する前記タンクからの流れを妨げる固定状態との間で作動可能なフラッシュバルブ部材と、
Ｃ）局所位置に配置されている制御チャンバを画定し、この制御チャンバ内に管路水圧を入れる管路圧力入口を形成し、さらに前記制御チャンバ内の圧力を解放可能な制御チャンバ圧力解放出口を形成するハウジングを含むバルブ作動機構であって、前記管路圧力が前記制御チャンバ内に広がる場合に、前記固定状態及び前記非固定状態のどちらか一方に前記フラッシュバルブ部材を作動し、かつ前記制御チャンバ内の圧力が解放される場合に、前記固定状態及び前記非固定状態のどちらかもう一方に前記フラッシュバルブ部材を作動するバルブ作動機構とからなり、このバルブ作動機構がさらに、
1)前記制御チャンバ圧力解放出口から遠隔位置を介して延伸する圧力解放導管と、
2)前記遠隔位置に配置され、前記圧力解放導管に介在するとともに、前記圧力解放導管を介する流れを妨げ、それによって前記制御チャンバ内の圧力が解放されることを妨げる閉状態と前記圧力解放導管を介する流れが可能であり、それによって前記制御チャンバ内の圧力が解放可能な開状態との間で作動可能な遠隔バルブとからなるフラッシャ。
【請求項２５】
外部の水源に接続されているとともに、水を収容するタンクへの水の流れを、当該水のタンク内の所定の水位付近において、閉じるように構成されている取水バルブと、
前記水のタンクから便器へ水を排水する非固定状態と固定状態との間でフラッシュバルブ部材を制御するように構成されているダイアフラム式フラッシュバルブと、
フラッシュバルブチャンバとパイロットチャンバを分離し、当該フラッシュバルブチャンバをシールするように配列され、それによって前記固定状態に前記フラッシュバルブ部材を押し付ける圧力を維持し、前記水を収容するタンクから前記便器への水の排水を防ぐダイアフラムと、
作動時に、前記ダイアフラム式フラッシュバルブのパイロットチャンバ内の圧力を減少させ、前記ダイアフラムの変形を生じさせ、それによって前記水の排水を生じさせる前記フラッシュバルブチャンバ内の圧力を減少させるように構成されて配列されている圧力制御機構とからなるタンク式フラッシャ。
【請求項２６】
前記取水バルブが、何らかのバルブ部材に何ら固定して連結されずに構成されて配列されている浮きを含む請求項２５記載のタンク式フラッシャ。
【請求項２７】
前記取水バルブが浮きケージ内で自由に浮く浮きを含む請求項２５記載のタンク式フラッシャ。
【請求項２８】
前記取水バルブが、浮きケージ内で浮き、前記所定の水位において開放オリフィスをふさぐように配列されている浮きを含む請求項２５記載のタンク式フラッシャ。
【請求項２９】
前記圧力制御機構がソレノイドにより制御されている請求項２５記載のタンク式フラッシャ。
【請求項３０】
前記フラッシュバルブ部材が、フラッシュバルブハウジング内で直線的に動くように構成されている請求項２５記載のタンク式フラッシャ。
【請求項３１】
前記フラッシュバルブチャンバが、前記外部の源から水圧を受容するように配列され、当該水圧の少なくとも一部分を利用して前記水の排水を妨げるように配列されている請求項２５記載のタンク式フラッシャ。
【請求項３２】
外部の水源から水を収容するタンクへの水の流れを、当該水のタンクに所定の水位が存在するときに、閉じるように構成され、浮きケージ内で自由に浮くように構成されて配列されている浮きを含む取水バルブと、
フラッシュバルブチャンバを含み、前記水のタンクから便器へ水を排水するように作動する際に開放するように構成されているダイアフラム式フラッシュバルブとからなるタンク式フラッシャ。
【請求項３３】
外部の水源に接続されているとともに、水を収容するタンクへの水の流れを、当該水のタンク内の所定の水位付近において、閉じるように構成されている取水バルブと、
前記水のタンクから便器へ水を排水する非固定状態と固定状態との間で移動可能なフラッシュバルブ部材の位置を制御するように構成されているフラッシュバルブとからなり、
前記フラッシュバルブ部材が、バイアス部材により前記非固定状態にバイアスされ、前記外部の源からの水圧の少なくとも一部分によって前記固定状態に押し付けられるタンク式フラッシャ。
【請求項３４】
前記取水バルブ及び前記フラッシュバルブが単一のハウジング内に配置されている請求項２５、３２、３３の何れか１項記載のタンク式フラッシャ。
【請求項３５】
前記フラッシュバルブチャンバが、前記外部の源から水圧を受容するように配列され、前記水圧の少なくとも一部分を利用して前記水の排水を妨げるように配列されている請求項３２記載のタンク式フラッシャ。
【請求項３６】
前記ダイアフラム式フラッシュバルブがソレノイドにより制御される請求項３２記載のタンク式フラッシャ。